(57)【特許請求の範囲】
【請求項１】
容器本体と、容器本体内に装着された芳香剤収納皿と、容器本体の一端に蝶番機構を介して装着された蓋体とからなる薄型のコンパクト容器であって、
容器本体は、外容器と、該外容器の前壁に蝶番機構を介して開閉自在に装着される中容器とからなり、
中容器は、各種の異なる芳香剤を収納した収納皿を取り替え可能とし、内方に設けた皿収納部に装着するとともに、皿収納部は、芳香剤収納皿を倒立させた形で外容器の係合筒内方に密閉収納しており、
蓋体は、蓋体本体と、該蓋体本体の上面に空間を形成して装着される透明、または半透明の素材で構成された天面部材とからなり、外容器本体の後壁に蝶番機構を介して装着されており、
薄型で、簡単に持ち運びができるとともに、中容器の蝶番機構により枢着された端部と反対側の端部を蓋体の前壁に係合し、外容器および蓋体とともに中容器を底部とする三角形を組み立てて開蓋状態を固定することができるようにしたことを特徴とする芳香剤容器。
【請求項２】
蓋体本体上面に、鏡が装着されていることを特徴とする請求項１記載の芳香剤容器。
【請求項３】
外容器の底面に、透明または半透明の素材で構成された天面部材を、空間を形成するように装着し、
外容器と天面部材との間の空間に、表示面を設けたシート状物を挿入するようにしたことを特徴とする請求項１記載の芳香剤容器。
【請求項４】
外容器の底面に、鏡が装着されていることを特徴とする請求項１または３記載の芳香剤容器。
【発明の詳細な説明】
【技術分野】
【０００１】
本発明は、容器本体と蓋体、および芳香剤収納皿とからなる薄型で携帯便利な芳香剤容器に関するものである。
【背景技術】
【０００２】
芳香剤容器において、芳香剤を収納した容器本体と蓋体とからなり、使用者が容器自体を手軽に持ち運び、蓋体を開蓋することにより芳香剤を放散させ、蓋体を閉蓋することにより芳香剤の放散を中止させるようにした芳香剤容器は、従来より知られている（例えば、特許文献１参照）。
【０００３】
また、上記従来容器において、容器本体の内方に、芳香剤を収納した収納皿を装着し、芳香剤を使用し終わったり、使用者の気分により芳香剤の香りを変えたくなった時に、収納皿を容器本体から外し、新しい芳香剤を収納した収納皿を装着し直すことによって、芳香剤容器を、芳香剤のリフィル容器として使用することも従来より行われている。
【特許文献１】実開平２−５５９５４号公報
【発明の開示】
【発明が解決しようとする課題】
【０００４】
しかしながら、上記特許文献記載の従来の芳香剤容器では、部屋などに置いて使用する際に、芳香剤容器の装飾を変えることができなかったので、部屋の雰囲気と合わないということがあった。
また、詰め替えた芳香剤の香りが、容器自体の装飾と合わないときには、容器を変えなければならないということもあった。
【０００５】
また、容器は、薄型ではなく、小型でもないので、化粧用のコンパクトのようにハンドバッグ等に入れて持ち運ぶこともできなかった。
【０００６】
本発明は、上記の問題を解決することを課題とし、芳香剤を収納した薄型のコンパクト容器であり、さらに、蓋体の上面に写真などの表示部を設け、使用する際に蓋体とともに表示部を立てて、容器自体をスタンドとして使用することができ、さらにまた、表示部の表示を自由に変えることができる芳香剤容器を提供することを目的とする。
【課題を解決するための手段】
【０００７】
本発明は、上記の課題を解決するため、芳香剤容器として、容器本体と、容器本体内に装着された芳香剤収納皿と、容器本体の一端に蝶番機構を介して装着された蓋体とからなる薄型のコンパクト容器であって、容器本体は、外容器と、該外容器の前壁に蝶番機構を介して開閉自在に装着される中容器とからなり、中容器は、各種の異なる芳香剤を収納した収納皿を取り替え可能とし、内方に設けた皿収納部に装着するとともに、皿収納部は、芳香剤収納皿を倒立させた形で外容器の係合筒内方に密閉収納しており、蓋体は、蓋体本体と、該蓋体本体の上面に空間を形成して装着される透明、または半透明の素材で構成された天面部材とからなり、外容器本体の後壁に蝶番機構を介して装着されており、薄型で、簡単に持ち運びができるとともに、中容器の蝶番機構により枢着された端部と反対側の端部を蓋体の前壁に係合し、外容器および蓋体とともに中容器を底部とする三角形を組み立てて開蓋状態を固定することができるようにしたことを特徴とする構成を採用する。
【０００８】
芳香剤容器の実施例として、蓋体本体上面に、鏡が装着されていることを特徴とする構成を採用する。
【０００９】
芳香剤容器の他の実施例として、外容器の底面に、透明または半透明の素材で構成された天面部材を、空間を形成するように装着し、外容器と天面部材との間の空間に、表示面を設けたシート状物を挿入するようにしたことを特徴とする構成を採用する。
【００１０】
芳香剤容器の他の実施例として、外容器の底面に、鏡が装着されていることを特徴とする構成を採用する。
【発明の効果】
【００１２】
芳香剤容器を、薄型のコンパクト容器としたので、ハンドバッグ等に入れて持ち運ぶことができ、いつでも好きな場所で芳香を楽しむことができるようになった。
【００１３】
芳香剤カートリッジを、交換可能として収納皿に取着するようにしたので、カートリッジを付け替えることによって異なる香りを楽しめるようになった。
【００１４】
芳香剤容器を、容器本体と、容器本体に蝶番機構を介して開閉可能に装着される蓋体本体と、蓋体本体上面に空間を形成して装着される天面部材とから形成するときには、蓋体本体と天面部材との間の空間に、写真や模様などを表示するシート状物を挿入したり入れ替えたりすることができる。
そして、容器本体から蓋体を開蓋して、蓋体の表示面を立て、芳香剤容器自体をスタンドとして使用することができる。
【００１５】
また、容器本体を、外容器と、外容器に収納される中容器とで形成するときには、芳香剤容器を開蓋し、中容器と外容器と蓋体とを横から見て三角形に組み立てて容器の開蓋を固定することができ、中容器を底面にして、外容器を後面側、蓋体を前面側として使用することができる。
さらに、外容器の底面に空間を設けて天面部材を装着することにより、外容器の外面も表示部として使用することができる。
【発明を実施するための最良の形態】
【００１６】
次に、本発明の芳香剤容器について、実施例をあげ、図面を参照して説明する。
【実施例１】
【００１７】
図１、２において、Ａは容器本体、Ｂは芳香剤収納皿、Ｃは容器本体Ａに蝶番機構を介して装着される蓋体である。
容器本体Ａと蓋体Ｃの蝶番機構の両側面は圧接しており、操作により開閉し、操作がないと、開蓋の開閉角度を保持するものである。
【００１８】
容器本体Ａは、外容器Ａ１と、外容器Ａ１の内方に装着される上壁部材Ａ２とからなっている。
外容器Ａ１は、四角形の底壁１と、底壁１の上面外縁に立設された前壁２と後壁３と両側の側壁とからなる側周壁４とを具えている。
前壁２の外面中央部には、蓋体Ｃと係合して係止機構となる係止部５が凹設されており、後壁３の中央部には、蓋体Ｃと蝶番機構を構成する切欠部６が穿設され、蝶番ピン７が軸支されている。
【００１９】
上壁部材Ａ２は、外形が四角形の上壁１０と、上壁１０の中央部に設けられ、芳香剤収納皿Ｂを載置する円形の皿収納部１１と、上壁１０の外縁に周設され、外周面が外容器Ａ１の側周壁４の外面と面一となる段部１２と、段部１２の前壁側の下面に垂設され、外容器Ａ１の側周壁４の内面と係合し、上壁部材Ａ２を外容器Ａ１に装着させる係合周壁１３とを具えている。
上壁部材Ａ２の前壁側には、外容器Ａ１の係止部５に対応する凹部１５が凹設されている。
【００２０】
皿収納部１１は、周壁上部が上壁１０に上面より高い高さに突設する形で連設される係合筒２０と、係合筒２０下端に連設されたリング状の上壁２１と、上壁２１の内縁下面に連設される皿収納壁２２とを具えている。
【００２１】
芳香剤収納皿Ｂは、上壁部材Ａ２の皿収納部１１の皿収納壁２２上面に載置され、内方に固体または半固体の芳香剤を装着する円形の収納皿２５と、収納皿２５の上端に連設され、下面が皿収納部１１の上壁２１上面に載置され、側面が係合筒２０内面と係合するフランジ２６とを具えている。
芳香剤使用前には、芳香剤収納皿Ｂ内を密封するために、フランジ２６上面に薄肉フィルム２７が貼着されている。
【００２２】
蓋体Ｃは、蓋体本体Ｃ１と、蓋体本体Ｃ１の上面に装着される透明または半透明な素材で構成された天面部材Ｃ２とからなっており、蓋体本体Ｃ１と天面部材Ｃ２との間には、空間ａが形成され、写真や絵などの表示面を有するシート状物Ｓが挿入されるようになっている。
【００２３】
蓋体本体Ｃ１は、四角形の頂壁３０と、頂壁３０の下面外縁に垂設された前壁３１と後壁３２と両側の側壁３３とからなる側周壁とを具えている。
【００２４】
頂壁３０の上面には、外縁付近に配設され、四角形のいずれか一辺を開口３５としてコの字形とした係合周壁３６が突設されており、下面には、容器の閉蓋時に内周が上壁部材Ａ２の皿収納部１１の係合筒２０外周と係合する係合筒３７が垂設されている。  
頂壁３０下面の係合筒３７内方には、容器の閉蓋時に皿収納部１１の係合筒２０上端面と係合し、皿収納部１１内方を密閉させるパッキンＰが装着されている。
【００２５】
蓋体本体Ｃ１の側周壁の下端周面は、容器の閉蓋時に容器本体Ａの上壁部材Ａ２の段部１２の上周面と係合するようになっており、下端内周には、内周面が段部１２の外周面に係合する係合凹部４０が周設されている。
側周壁の前壁３１の下端中央部には、外容器Ａ１の前壁２の係止部５、および上壁部材Ａ２の凹部１５と係合して、容器の閉蓋時に蓋体Ｃの係止機構となる係止片４１が垂設されている。
後壁３２の下端中央部には、外容器Ａ１の後壁３の切欠部６と係合して蝶番機構を構成する蝶番用の連結片４２が垂設されている。
【００２６】
天面部材Ｃ２は、四角形の頂壁４５と、頂壁４５の下面外縁に垂設され、内周面が蓋体本体Ｃ１の上面の係合周壁３６外周面と係合する前壁４６と後壁４７と両側の側壁４８とからなる側周壁とを具えており、側周壁の四角形のいずれか一辺には、蓋体本体Ｃ１の係合周壁３６の開口３５と係合し、係合周壁３６内に形成される空間ａの開口となる開口部４９が穿設されている。
天面部材Ｃ２の開口部４９と蓋体本体Ｃ１の開口３５より、写真などのシート状物Ｓを空間ａ内に挿入することができるようになっている。  
【００２７】
次に、本実施例の芳香剤容器の作用効果について説明する。
まず、芳香剤の使用に関しては、図３に示すように、蓋体Ｃを容器本体Ａから蝶番機構を介して開蓋し、芳香剤収納皿Ｂ上面の薄肉フィルム２７を手指などで剥離することで、芳香剤収納皿Ｂ内の芳香剤の香りが容器外に放散される。
また、蓋体Ｃの開蓋角度を調整することで、芳香剤の香りの放散量を調整することができる。
【００２８】
芳香剤の使用中止にあたっては、蓋体Ｃを容器本体Ａに蝶番機構を介して閉蓋し、蓋体本体Ｃ１の前壁３１の係止片４１と、外容器Ａ１の前壁２の係止部５を係止させることで、容器内の芳香剤の香りの放散を止める。
【００２９】
その際、上壁部材Ａ２の皿収納部１１の係合筒２０の上端面と、蓋体本体Ｃ１の頂壁３０下面の係合筒３７内方に装着したパッキンＰが密接するとともに、係合筒２０の上部外周と、係合筒３７の内周面とが係合することで、上壁部材Ａ２の皿収納部１１内が密閉される。
また、上壁部材Ａ２の段部１２上面と蓋体本体Ｃ１の側周壁下端面、および段部１２の側面と係合凹部４０とが係合し、容器内が密閉され、容器内の芳香剤の香りの放散が止まる。
【００３０】
芳香剤収納皿Ｂ内の芳香剤が無くなったり、香りを放散しなくなったり、または、使用者が香りに飽きたら、芳香剤収納皿Ｂを容器本体Ａの皿収納部１１から取り除き、新しく芳香剤の充填された芳香剤収納皿Ｂを容器本体Ａの皿収納部１１に装着し直すことができ、本実施例の芳香剤容器は、芳香剤のリフィル容器として使用することができる。
【００３１】
本実施例の芳香剤容器は、蓋体Ｃの上面に天面部材Ｃ２により空間ａが形成され、天面部材Ｃ２の開口部４９より空間ａ内に、写真、絵などのシート状物Ｓを挿入することができるので、容器の外部から、透明な素材で構成された天面部材Ｃ２の頂壁４５を透してシート状物Ｓの表面を見ることができ、芳香剤容器を写真、絵などのスタンドとして使用することができる。
また、使用する場所や使用者の気分によって、シート状物Ｓを差し替えて使用することができる。
【００３２】
さらにまた、容器が薄型のコンパクトタイプのものであるので、ハンドバッグ等に入れて持ち運ぶことができ、好きなときに、好きな場所で芳香を楽しむことができる。
【００３３】
本実施例の変形実施例として、蓋体Ｃの蓋体本体Ｃ１の係合周壁３６内方の頂壁３０上面に鏡を装着することで、容器の外部から、透明な素材で構成された天面部材Ｃ２の頂壁４５を透して、シート状物Ｓを見ることばかりでなく、シート状物Ｓを取外し、頂壁３０上面の鏡面を見ることができ、芳香剤容器を鏡として使用することができる。
【実施例２】
【００３４】
次に、容器の形状を変えた第２実施例について説明する。
本実施例の第１実施例と同一の構成部分には、同一の符号を付して図示し、詳しい説明を省略する。
【００３５】
図４において、Ｄは容器本体、Ｂは芳香剤収納皿、Ｃａは容器本体Ｄに蝶番機構を介して装着される蓋体である。
容器本体Ｄは、外容器Ｄ１と、容器の閉蓋時に、内方に装着した芳香剤収納皿Ｂを倒立した形状で、外容器Ｄ１内に蝶番機構を介して収納される中容器Ｄ２とからなっている。
【００３６】
外容器Ｄ１は、四角形の底壁５０と、底壁５０の上面外縁に立設された前壁５１と後壁５２と両側の側壁とからなる側周壁とを具えており、側周壁の上端外周には段部５３が周設されている。
底壁５０の上面には、容器の閉蓋時に内周が中容器Ｄ２と係合する係合筒５５が立設され、底壁５０上面の係合筒５５内周には、パッキンＰが装着されている。
【００３７】
前壁５１には、上端部に、中容器Ｄ２と蝶番機構を構成する切欠部５６が形成され、外面中央部に、蓋体Ｃａと係合して係止機構となる係止部５７が凹設されている。
後壁５２の中央部には、蓋体Ｃａと蝶番機構を構成する切欠部５８が穿設され、蝶番ピンが軸支されている。
【００３８】
中容器Ｄ２は、外容器Ｄ１の側周壁内面と係合する四角形の上壁６０と、上壁６０の中央部に設けられ、芳香剤収納皿Ｂを保持する円形の皿収納部６１とを具えており、上壁６０の前側端の中央部には、外容器Ｄ１の前壁５１の切欠部５６と係合して蝶番機構を構成する連結片６２が突設されている。
【００３９】
皿収納部６１は、上壁６０の内縁下面に垂設される筒壁６５と、筒壁６５下端に垂設された係合筒６６と、筒壁６５の下端内周に連設されたリング状の底壁６７と、底壁６７の内縁に連設される皿収納壁６８とを具えている。
【００４０】
係合筒６６内周には、係合突部６９が突設され、底壁６７下面と係合突部６９との間に芳香剤収納皿Ｂのフランジ２６を係合させることで、図４に示すように、芳香剤収納皿Ｂを倒立状態で皿収納部６１内に保持している。
係合筒６６は、容器の閉蓋時に、下端が外容器Ｄ１の係合筒５５内方のパッキンＰに密接するとともに、下部外周が外容器Ｄ１の係合筒５５内周と係合し、皿収納部６１内を密閉するようになっている。
【００４１】
蓋体Ｃａは、蓋体本体Ｃ１ａと、蓋体本体Ｃ１ａの上面に装着される透明または半透明な素材で構成された天面部材Ｃ２ａとからなっており、蓋体本体Ｃ１ａと天面部材Ｃ２ａとの間には、空間ａが形成され、写真や絵などのシート状物Ｓが挿入されるようになっている。
【００４２】
蓋体本体Ｃ１ａは、四角形の頂壁３０ａと、頂壁３０ａの下面外縁に垂設された前壁３１ａと後壁３２ａと両側の側壁とからなる側周壁とを具えている。
頂壁３０ａの上面には、外縁付近に配設され、四角形のいずれか一辺を開口３５ａとしてコの字形とした係合周壁３６ａが突設されている。
【００４３】
蓋体本体Ｃ１ａの側周壁の下端周面は、容器の閉蓋時に容器本体Ｄの外容器Ｄ１の側周壁の段部５３の上周面と係合するようになっており、下端内周には、内周面が段部５３の外周面に係合する係合凹部４０ａが周設されている。
側周壁の前壁３１ａの下端中央部には、外容器Ｄ１の係止部５７と係合し、蓋体Ｃａの係止機構となる係止片４１ａが垂設され、後壁３２ａの下端中央部には、外容器Ｄ１の切欠部５８と係合して蝶番機構を構成する蝶番用の連結片４２ａが垂設されている。
【００４４】
次に、本実施例の芳香剤容器の作用効果について説明する。
まず、芳香剤の使用に関しては、蓋体Ｃａを容器本体Ｄから蝶番機構を介して開蓋した後、容器本体Ｄの中容器Ｄ２を外容器Ｄ１から蝶番機構を介して開蓋し、芳香剤収納皿Ｂ上面の薄肉フィルム２７を手指などで剥離することで、芳香剤収納皿Ｂ内の芳香剤の香りが容器外に放散される。
【００４５】
次に、中容器Ｄ２の上壁６０の連結片６２の反対側端部を、蓋体Ｃａの前壁３１ａ側の内方に係合させ、図５に示すように、横から見ると、中容器Ｄ２を底部、外容器Ｄ１が後側壁、蓋体Ｃａが前側壁とした三角形に組み立てることで、容器の開蓋が固定される。
【００４６】
本実施例の芳香剤容器は、外容器Ｄ１が後側壁となることで、後側から手指等が侵入してしまい、芳香剤に触れてしまうことを防止することができる。
また、芳香剤容器が、三角形に固定されるので、片方の横面を底部として倒し、容器を三角柱として立てて使用することができる。
【００４７】
芳香剤の使用中止にあたっては、容器本体Ｄの中容器Ｄ２を外容器Ｄ１内に蝶番機構を介して収納させた後、蓋体Ｃａを容器本体Ｄに蝶番機構を介して閉蓋し、蓋体本体Ｃ１ａの前壁３１ａの係止片４１ａと、外容器Ｄ１の前壁５１の係止部５７を係合させて係止させることで、容器内の芳香剤の香りの放散を止める。
その際、外容器の係合筒５５により、中容器Ｄ２の皿収納部６１内が密閉するとともに、蓋体Ｃａの側周壁の係合凹部４０ａにより、容器本体Ｄ内が密閉される。
その他の作用効果は、第１実施例と同じである。
【００４８】
本実施例の変形実施例として、外容器Ｄ１の底壁５０の下面に、絵などの装飾を施したり、底壁５０の下面に、蓋体Ｃａの蓋体本体Ｃ１ａと同様にコの字形の係合周壁を突設させ、それに係合する天面部材Ｃ２ａを装着し、空間ａを形成し、写真や絵などのシート状物Ｓが挿入できるようにしてもよい。
【００４９】
また、実施例１と同様に、外容器Ｄ１の底壁５０の下面に鏡を装着することで、シート状物Ｓを取外して鏡として使用するようにしてもよい。
このことで、芳香剤容器を三角形に組み立てた際に、外容器Ｄ１の底壁５０の表面にも装飾され、レイアウトの幅が広がる。
【実施例３】
【００５０】
次に、実施例３について説明する。
本実施例は、交換可能な芳香剤を芳香剤収納皿に装着するようにしたカートリッジタイプの芳香剤容器に係るものである。
図６〜８において、Ａｂは容器本体、Ｂｂは芳香剤収納皿、Ｃｂは蓋体、Ｅは芳香剤カートリッジである。
【００５１】
容器本体Ａｂは、角形の底壁７５と、底壁７５の外周縁から立設された前壁７６と、後壁７７と両側の側壁７８とからなる側周壁とを具えている。
前壁７６の中央部には、蓋体Ｃｂの係止機構を構成する係止突条７９を具えた凹部８０が設けられている。
両側の端部には、蝶番ピン８１を具えた芳香剤収納皿Ｂｂの取付部が設けられている。
【００５２】
後壁７７の中央部には、蓋体Ｃｂと蝶番機構を構成する切欠部８２が穿設され、両端には、蝶番ピン８３が突設されている。
底壁７５の上面には、芳香剤収納皿Ｂｂの支持台枠８４が設けられている。
【００５３】
芳香剤収納皿Ｂｂは、底壁８５と、前壁８６と後壁８７と両側の側壁８８とからなる側周壁とを具えており、側周壁の上端外周には、フランジ８９が設けられている。
前壁８６の両側部には、フランジ８９より突出する軸受部９０を具えた蝶番片９１が設けられており、軸受部９０は、蝶番ピン８１に枢支され、芳香剤収納皿Ｂｂの蝶番機構を構成している。
前壁８６の上端内周には、係止突条９２が設けられ、後壁８７の上端内周には、内方に突出する突出板９３が形成されている。
【００５４】
芳香剤は、粒状、粉状、または半固体状のものであって、通気性を有する角形板状の芳香剤カートリッジＥに収納され、フィルム等で包装されている。
芳香剤カートリッジＥは、一端部は突出板９３の下面に支持され、その反対側の端部は、係止突条９２によって上昇が阻止され、芳香剤収納皿Ｂｂ内に載置されている。
【００５５】
蓋体Ｃｂは、頂壁９５と、頂壁９５の前端から垂設された係止板９６と、後端中央部に垂設された一対の蝶番片９７とから構成されている。
係止板９６の下端には、内方に突出する係止片９８が設けられ、容器本体Ａの前壁７６の凹部８０の係止突条７９と係合するようになっている。
【００５６】
蝶番片９７は、切欠部８２の対向する面に接するように一対の板体によって形成され、中央部にスリット９９が刻設され、所定の位置に、蝶番ピン８３に嵌合される軸受孔１００が穿設されている。
蝶番片９７と、切欠部８２の蝶番ピン８３によって容器本体Ａｂと蓋体Ｃｂとの蝶番機構が構成され、係止板９６と凹部８０の係止突条７９によって、容器本体Ａｂと蓋体Ｃｂとの係止機構が構成されている。
【００５７】
頂壁９５の裏面には、芳香剤収納皿Ｂｂの側周壁の上端面と接合する角形の突条１０１が設けられ、閉蓋時に、容器本体Ａｂに載置された芳香剤収納皿Ｂｂを密封するようにしている。
【００５８】
次に、本実施例の芳香剤容器の使用態様と作用効果について説明する。
芳香剤容器の使用にあたっては、芳香剤カートリッジＥの包装をはがして、芳香剤収納皿Ｂｂに入れ、容器本体Ａｂに載置し、蓋体Ｃｂを被嵌する。
その際、芳香剤カートリッジＥは、芳香剤収納皿Ｂｂの突出板９３と係止突条９２によって妄動不能に取着され、蓋体Ｃｂを被嵌することによって気密性を保つようにされ、芳香が周辺に飛散することを防止している。
【００５９】
芳香の使用にあたっては、図９に示すように、蓋体Ｃｂを開くと芳香が放散される。
香りを変えたいときには、芳香剤収納皿Ｂｂに入っている芳香剤カートリッジＥを取り出し、異なる芳香剤カートリッジＥを装着すると、新しい香りを楽しむことができる。
また、数個の異なる芳香剤カートリッジを用意して、所望に応じて好みの香りを楽しむことができる。
【００６０】
途中で香りの放散を中止するときには、蓋体Ｃｂを閉じると、蓋体Ｃｂの突条１０１が芳香剤収納皿Ｂｂの側壁８８の上端に当接するので、香りの放散を止めることができる。
【００６１】
本実施例では、芳香剤容器は、容器本体Ａｂと芳香剤収納皿Ｂｂ、蓋体Ｃｂとから構成され、薄型の芳香剤カートリッジＥを交換可能としたので、全体として、芳香剤容器がさらに薄型となり、携帯がきわめて容易となった。
【００６２】
本実施例においても、前記各実施例と同様に、蓋体の表面に天面部材を装着し、写真や絵など挿入し、蓋体と容器本体、芳香剤収納皿を三角形状に組み合わせて、写真や絵などの表示スタンドとしても利用できる。
その際、表示スタンドを安定させるため、容器本体Ａｂを下にして組み立てる。
また、蓋体の頂壁に鏡を装着することによって、鏡面として利用することもできる。
【００６３】
上記各実施例では、容器の形を上面からみて四角形としたが、容器本体と蓋体を開閉でき、蓋体の上面に、透明素材で構成された天面部材を装着できるものであれば、容器の形は上面からみて円形などとしてもよく、容器の形状は、上記各実施例の形状に限定されない。
【産業上の利用可能性】
【００６４】
本発明は、芳香剤容器において、蓋体を開蓋することで、芳香剤を放散できるばかりでなく、容器自体をスタンドとして使用することができ、さらに、表示を差し替えることができるので、芳香剤のリフィル容器として、広く利用できる。
【図面の簡単な説明】
【００６５】
【図１】本発明芳香剤容器の第１実施例の断面立面図である。
【図２】第１実施例の上面図である。
【図３】第１実施例の開蓋時の断面立面図である。
【図４】第２実施例の断面立面図である。
【図５】第２実施例の開蓋組立時の断面立面図である。
【図６】第３実施例の断面立面図である。
【図７】第３実施例の説明図で、（ａ）は、開蓋時の平面図、（ｂ）は図（ａ）のＡ−Ａ線における容器の断面立面図である。
【図８】第３実施例の左側面図である。
【図９】第３実施例の使用時の説明図である。
【符号の説明】
【００６６】
Ａ、Ａｂ、Ｄ    容器本体
Ａ１、Ｄ１      外容器
Ａ２            上壁部材
Ｂ、Ｂｂ        芳香剤収納皿
Ｃ、Ｃａ、Ｃｂ  蓋体
Ｃ１、Ｃ１ａ    蓋体本体
Ｃ２、Ｃ２ａ    天面部材
Ｄ２            中容器
Ｅ              芳香剤カートリッジ
Ｓ              シート状物
Ｐ              パッキン
ａ              空間
１、５０、６７、７５  底壁
２、５１、７６  前壁
３、５２、７７  後壁
４              側周壁
５、５７        係止部
６、５６、５８  切欠部
７、８１、８３  蝶番ピン
１０            上壁
１１、６１      皿収納部
１２、５３      段部
１３            係合周壁
１５、８０      凹部
２０、５５、６６  係合筒
２１、６０      上壁
２２、６８      皿収納壁
２５            収納皿
２６、８９      フランジ
２７            薄肉フィルム
３０、３０ａ、４５、９５  頂壁
３１、３１ａ、４６    前壁
３２、３２ａ、４７    後壁
３３、４８      側壁
３５、３５ａ    開口
３６、３６ａ    係合周壁
３７            係合筒
４０、４０ａ    係合凹部
４１、４１ａ、９８    係止片
４２、４２ａ    連結片
４９            開口部
５６、５８、８２  切欠部
５７            係止部
６２            連結片
６５            筒壁
６９            係合突条
７８            側壁
７９            係止突条
８４            支持台枠
８５            底壁
８６            前壁
８７            後壁
８８            側壁
９０            軸受部
９１            蝶番片
９２            係止突条
９３            突出板
９６            係止板
９７            蝶番片
９９            スリット
１００          軸受孔
１０１          突条
【図１】
0005111786.tif 000002
【図２】
0005111786.tif 000003
【図３】
0005111786.tif 000004
【図４】
0005111786.tif 000005
【図５】
0005111786.tif 000006
【図６】
0005111786.tif 000007
【図７】
0005111786.tif 000008
【図８】
0005111786.tif 000009
【図９】
0005111786.tif 000010